(57)【要約】【課題】操作アイコン等の表示方向を撮影モードおよび再生モードの各々に適した向きに制御する電子カメラを提供する。【解決手段】電子カメラ１は、情報を表示する表示部材１７と、操作アイコン、所定マークおよび所定文字の少なくとも１つを表示するように表示部材１７を制御する表示制御手段２０と、表示の向きを制御する方向制御手段２０と、撮影モードと再生モードとで表示の向きの制御を異ならせるように方向制御手段２０へ指示する指示手段２０と、を備える。【選択図】図１
2011010181.tif 000002
【特許請求の範囲】
【請求項１】
情報を表示する表示部材と、
操作アイコン、所定マークおよび所定文字の少なくとも１つを表示するように前記表示部材を制御する表示制御手段と、
前記表示の向きを制御する方向制御手段と、
撮影モードと再生モードとで前記表示の向きの制御を異ならせるように前記方向制御手段へ指示する指示手段と、
を備えることを特徴とする電子カメラ。
【請求項２】
請求項１に記載の電子カメラにおいて、
前記表示制御手段は、再生モード時に前記表示部材に撮影済み画像をさらに表示させ、
前記指示手段は、前記表示中の前記撮影済み画像の天地情報に基づいて前記表示の向きを制御するように前記方向制御手段へ指示することを特徴とする電子カメラ。
【請求項３】
請求項２に記載の電子カメラにおいて、
前記方向制御手段は、前記表示部材の表示領域の長手方向と前記撮影済み画像の長手方向とを一致させ、かつ、該撮影済み画像の表示の向きと前記操作アイコン、前記所定マークおよび前記所定文字の表示の向きとを揃えることを特徴とする電子カメラ。
【請求項４】
請求項３に記載の電子カメラにおいて、
前記方向制御手段は、前記撮影済み画像の前記天地情報に基づく前記撮影済み画像の天側が、前記表示領域の撮影補助光源に近い方の短辺側となるように決定することを特徴とする電子カメラ。
【請求項５】
請求項３に記載の電子カメラにおいて、
撮影済み画像に情報を付加する情報付加手段をさらに有し、
前記情報付加手段は、前記表示中の前記撮影済み画像に前記表示中の前記所定マークおよび前記所定文字を付加することを特徴とする電子カメラ。
【請求項６】
請求項１に記載の電子カメラにおいて、
姿勢を検出する姿勢検出手段をさらに備え、
前記指示手段は、前記撮影モード時に前記姿勢検出手段によって検出された検出信号に基づいて前記表示の向きを制御するように前記方向制御手段へ指示することを特徴とする電子カメラ。
【請求項７】
請求項６に記載の電子カメラにおいて、
前記方向制御手段は、前記姿勢検出手段による前記検出信号に基づいて天側の向きを判定し、該判定の向きと前記操作アイコン、前記所定マークおよび前記所定文字の表示の向きとを揃えることを特徴とする電子カメラ。
【請求項８】
請求項１〜７のいずれか一項に記載の電子カメラにおいて、
操作位置に応じて異なる操作信号を発する操作部材をさらに備え、
前記操作アイコンは、複数の前記操作位置ごとに対応付けられている機能を示すことを特徴とする電子カメラ。
【発明の詳細な説明】
【技術分野】
【０００１】
本発明は、電子カメラに関する。
【背景技術】
【０００２】
デジタルカメラの撮影時におけるカメラの姿勢（横位置または縦位置）に応じて、感圧式のタッチパネルを有する液晶ディスプレイに表示する操作スイッチの向きを異ならせる技術が知られている（特許文献１参照）。
【先行技術文献】
【特許文献】
【０００３】
【特許文献１】特開２００６−３４４１６８号公報
【発明の概要】
【発明が解決しようとする課題】
【０００４】
従来技術では、設定モード（撮影モードまたは再生モード）に応じて、各々のモードに適した表示となるように表示方向を制御できないという問題があった。
【課題を解決するための手段】
【０００５】
本発明による電子カメラは、情報を表示する表示部材と、操作アイコン、所定マークおよび所定文字の少なくとも１つを表示するように表示部材を制御する表示制御手段と、表示の向きを制御する方向制御手段と、撮影モードと再生モードとで表示の向きの制御を異ならせるように方向制御手段へ指示する指示手段と、を備えることを特徴とする。
【発明の効果】
【０００６】
本発明による電子カメラでは、操作アイコン等の表示方向を撮影モードおよび再生モードの各々に適した向きに制御できる。
【図面の簡単な説明】
【０００７】
【図１】本発明の一実施の形態による電子カメラの構成例を説明するブロック図である。
【図２】撮影モードにおける電子カメラの背面図である。
【図３】図２の電子カメラが縦に構えられた場合の背面図である。
【図４】再生モードにおける電子カメラの背面図である。
【図５】縦位置撮影された画像を再生表示する場合の背面図である。
【図６】図５の電子カメラを回転させた図である。
【図７】撮影モードにおけるアイコン表示方向制御を説明するフローチャートである。
【図８】再生モードにおけるアイコン表示方向制御を説明するフローチャートである。
【図９】編集操作用のアイコン表示を例示する図である。
【図１０】縦位置撮影された画像を再生表示する場合を説明する図である。
【図１１】図１０の電子カメラを回転させた図である。
【発明を実施するための形態】
【０００８】
以下、図面を参照して本発明を実施するための形態について説明する。図１は、本発明の一実施の形態による電子カメラ１の構成例を説明するブロック図である。図１において、電子カメラ１は、撮影光学系１２と、撮像素子１３と、ＡＦＥ(Analog front end)回路１４と、画像処理回路１５と、ＬＣＤモニタ１７と、バッファメモリ１８と、フラッシュメモリ１９と、ＣＰＵ２０と、メモリカードインターフェース(I/F)２１と、操作部材２２と、姿勢センサ２３とを備える。
【０００９】
ＣＰＵ２０、バッファメモリ１８、フラッシュメモリ１９、メモリカードインターフェース２１、画像処理回路１５、およびＬＣＤモニタ１７は、それぞれがバス１６を介して接続されている。
【００１０】
撮影光学系１２は、ズームレンズやフォーカシングレンズを含む複数のレンズ群で構成され、被写体像を撮像素子１３の受光面に結像させる。なお、図１を簡単にするため、撮影光学系１２を単レンズとして図示している。
【００１１】
撮像素子１３は、その受光面に受光素子が二次元配列されたＣＣＤイメージセンサ、またはＣＭＯＳイメージセンサなどによって構成される。撮像素子１３は、撮影光学系１２を通過した光束による被写体像を光電変換してアナログ画像信号を生成する。アナログ画像信号は、ＡＦＥ回路１４に入力される。
【００１２】
ＡＦＥ回路１４は、アナログ画像信号に対して相関二重サンプリングやゲイン調整などのアナログ処理を行うとともに、アナログ処理後の画像信号をデジタル画像データに変換する。デジタル画像データは画像処理回路１５に入力される。画像処理回路１５は、デジタル画像データに対して各種の画像処理（ホワイトバランス調整処理、画像圧縮処理、画像伸張処理など）を施す。
【００１３】
ＬＣＤモニタ１７は液晶表示パネルによって構成され、ＣＰＵ２０からの指示に応じて画像や操作アイコンなどを表示する。アイコンは、図形やマーク、記号、文字等で構成してよい。ＬＣＤモニタ１７の表示面上にはタッチ操作部材１７ａが積層されている。タッチ操作部材１７ａは、ユーザーによってタッチ操作された場合に液晶モニタ１７の表示画面上のタッチ位置を示す信号を発生し、ＣＰＵ２０へ送出する。
【００１４】
バッファメモリ１８は、画像処理回路１５によって画像処理される前、画像処理中、画像処理された後のデジタル画像データを一時的に記憶する。フラッシュメモリ１９は、ＣＰＵ２０に実行させるプログラムを記憶する他、操作アイコンなどの表示データを記憶する。
【００１５】
ＣＰＵ２０は、フラッシュメモリ１９が記憶するプログラムを実行することによって電子カメラ１が行う動作を制御する。ＣＰＵ２０は、ＡＦ（オートフォーカス）動作制御や、自動露出（ＡＥ）演算も行う。ＡＦ動作は、たとえば、ライブビュー画像のコントラスト情報に基づいてフォーカシングレンズ（不図示）の合焦位置を求めるコントラスト検出方式を用いる。ライブビュー画像は、撮影指示前に撮像素子１３によって所定の時間間隔（たとえば３０フレーム／毎秒＝30fps）で繰り返し取得されるモニタ用画像のことをいう。ライブビュー画像はスルー画像とも呼ばれる。
【００１６】
メモリカードインターフェース２１はコネクタ（不図示）を有し、該コネクタにメモリカードなどの記憶媒体５１が接続される。メモリカードインターフェース２１は、接続された記憶媒体５１に対するデータの書き込みや、記憶媒体５１からのデータの読み込みを行う。記憶媒体５１は、半導体メモリを内蔵したメモリカード、またはハードディスクドライブなどで構成される。
【００１７】
操作部材２２は、レリーズボタン２２ａ（図２）および電源on/offスイッチ２２ｂ（図２）を含み、各操作に応じた操作信号をＣＰＵ２０へ送出する。姿勢センサ２３は、たとえば重力方向を検出し、検出信号をＣＰＵ２０へ送出する。ＣＰＵ２０は、検出信号に基づいて電子カメラ１の姿勢を判定する。具体的には、撮影時に電子カメラ１が縦に構えられているか、電子カメラ１が横に構えられているかを判定する。
【００１８】
＜撮影モード時の表示＞
図２は、撮影モードにおける電子カメラ１の背面図である。図２において、電子カメラ１の背面にＬＣＤモニタ１７が配設される。ＣＰＵ２０は、ＬＣＤモニタ１７に所定のアイコンを表示させ、ユーザがタッチ操作したアイコンに対応付けられている処理を行う。図２によれば、表示画面左上に「撮影」アイコン１７１、その下に「再生」アイコン１７２、さらに下に「表示」アイコン１７３が表示されている。また、表示画面右上に「ズームＴ」アイコン１７４、その下に「ズームＷ」アイコン１７５、さらに下に「タッチオートフォーカスＯＦＦ」アイコン１７６、その下に「ホーム」アイコン１７７が表示されている。
【００１９】
電子カメラ１の上面には、レリーズボタン２２ａおよび電源on/offスイッチ２２ｂが配設されている。また、本実施形態では、電子カメラ１の正面パネルのレリーズボタン２２ａに近い領域にフラッシュ光源（不図示）が配設される。つまり、表示領域（ＬＣＤモニタ１７）の短辺であって補助光源(フラッシュ光源)に近い方は、表示領域の右側の短辺に相当する。また、図２は、ＬＣＤモニタ１７の長辺であってレリーズボタン２２ａに近い方を天側として構えている場合を示しており、本実施形態においては図２に示す電子カメラ１の姿勢を撮影モード時の基準姿勢とする。
【００２０】
ＣＰＵ２０は、タッチ操作部材１７ａからの操作信号が「撮影」アイコン１７１に対応するタッチ位置を示す場合、図２に示すようにライブビュー画像をＬＣＤモニタ１７に表示させて撮影待機状態にする（撮影モード）。「再生」アイコン１７２は、撮影モードから後述する再生モードへ切り替えるための操作アイコンである。ＣＰＵ２０は、タッチ操作部材１７ａからの操作信号が「再生」アイコン１７２に対応するタッチ位置を示す場合、再生モードへ切り替える。
【００２１】
ＣＰＵ２０は、タッチ操作部材１７ａからの操作信号が「表示」アイコン１７３に対応するタッチ位置を示す場合、カメラ情報の表示のオン／オフを切り替える。カメラ情報表示オンの場合、ライブビュー画像に重ねてカメラ情報（シャッター速度や絞り値など）を表示させる。カメラ情報表示オフの場合、該表示を消去する。図２はオフ時の例である。
【００２２】
タッチ操作部材１７ａからの操作信号が「ズームＴ」アイコン１７４に対応するタッチ位置を示す場合のＣＰＵ２０は、撮影光学系１２のズームレンズをテレ側へ駆動する。タッチ操作部材１７ａからの操作信号が「ズームＷ」アイコン１７５に対応するタッチ位置を示す場合のＣＰＵ２０は、撮影光学系１２のズームレンズをワイド側へ駆動する。タッチ操作部材１７ａからの操作信号が「タッチオートフォーカスＯＦＦ」アイコン１７６に対応するタッチ位置を示す場合、ＣＰＵ２０は、タッチオートフォーカス動作を解除する。タッチオートフォーカス動作は、ＬＣＤモニタ１７に表示中のライブビュー画像上でピントを合わせたい被写体をタッチ操作すると、その被写体にピントを合わせる機能をいう。
【００２３】
タッチ操作部材１７ａからの操作信号が「ホーム」アイコン１７７に対応するタッチ位置を示す場合、ＣＰＵ２０は、ＬＣＤモニタ１７に所定のホーム画面を表示させる。ホーム画面は、撮影メニュー、再生メニュー、セットアップメニューなどを起動するための表示画面である。
【００２４】
図３は、撮影モード時に電子カメラ１が縦に構えられた場合の背面図である。具体的には、ＬＣＤモニタ１７の短辺であってフラッシュ光源に近い方（レリーズボタン２２ａに近い方）の短辺を天側として構えている場合を示している。図３によれば、表示画面左下に「撮影」アイコン１７１Ｂ、その右に「再生」アイコン１７２Ｂ、および「表示」アイコン１７３Ｂが表示されている。また、表示画面左上に「ズームＴ」アイコン１７４Ｂ、その右に「ズームＷ」アイコン１７５Ｂ、さらに右に「タッチオートフォーカスＯＦＦ」アイコン１７６Ｂおよび「ホーム」アイコン１７７Ｂが表示されている。
【００２５】
アイコン１７１Ｂ〜アイコン１７７Ｂは、図２のアイコン１７１〜アイコン１７７をそれぞれ天地の向きを正しくするように回転したものである。同様に、ＬＣＤモニタ１７の長辺であってフラッシュ光源に近い方（レリーズボタン２２ａに遠い方）の長辺を天側として構えている場合、または、ＬＣＤモニタ１７の短辺であってフラッシュ光源に遠い方（レリーズボタン２２ａに遠い方）の短辺を天側として構えている場合にも、アイコン１７１〜アイコン１７７のそれぞれの表示の向きが各アイコンの表示位置において電子カメラ１の天地状態に追従して回転するように、アイコン１７１〜アイコン１７７の表示の向きを制御する。
【００２６】
＜再生モード時の表示＞
図４は、再生モードにおける電子カメラ１の背面図である。図４によれば、表示画面左上に「撮影」アイコン１７１、その下に「再生」アイコン１７２、さらに下に「編集」アイコン１８１、その下に「削除」アイコン１８２、さらに下に「表示」アイコン１８３が表示されている。また、表示画面右上に「コマ戻し」アイコン１８４、その下に「コマ送り」アイコン１８５、さらに下に「拡大」アイコン１８６、その下に「サムネイル」アイコン１８７、および「ホーム」アイコン１７７が表示されている。
【００２７】
「撮影」アイコン１７１は、再生モードから撮影モードへ切り替えるための操作アイコンである。ＣＰＵ２０は、タッチ操作部材１７ａからの操作信号が「撮影」アイコン１７１に対応するタッチ位置を示す場合、ライブビュー画像をＬＣＤモニタ１７に表示させて撮影待機状態にする撮影モードへ切り替える。また、ＣＰＵ２０は、タッチ操作部材１７ａからの操作信号が「再生」アイコン１７２に対応するタッチ位置を示す場合、図４に示すように、記憶媒体５１に記録されているデータに基づく再生画像をＬＣＤモニタ１７に表示させる再生処理を行う（再生モード）。
【００２８】
ＣＰＵ２０は、タッチ操作部材１７ａからの操作信号が「編集」アイコン１８１に対応するタッチ位置を示す場合、表示中の再生画像に対する編集操作を受け付ける。タッチ操作部材１７ａからの操作信号が「削除」アイコン１８２に対応するタッチ位置を示す場合、ＣＰＵ２０は、表示中の再生画像に対応する画像ファイルの削除操作を受け付ける。また、ＣＰＵ２０は、タッチ操作部材１７ａからの操作信号が「表示」アイコン１８３に対応するタッチ位置を示す場合、撮影情報の表示のオン／オフを切り替える。撮影情報表示オンの場合、再生画像に重ねて撮影情報を表示させる。撮影情報表示オフの場合、該表示を消去する。図４はオフ時の例である。
【００２９】
ＣＰＵ２０は、タッチ操作部材１７ａからの操作信号が「コマ戻し」アイコン１８４に対応するタッチ位置を示す場合、表示中の再生画像の前のコマを再生表示する。ＣＰＵ２０は、タッチ操作部材１７ａからの操作信号が「コマ送り」アイコン１８５に対応するタッチ位置を示す場合、表示中の再生画像の後のコマを再生表示する。
【００３０】
タッチ操作部材１７ａからの操作信号が「拡大」アイコン１８６に対応するタッチ位置を示す場合、ＣＰＵ２０は、表示中の再生画像を拡大して表示する。また、ＣＰＵ２０は、タッチ操作部材１７ａからの操作信号が「サムネイル」アイコン１８７に対応するタッチ位置を示す場合、１コマ表示に代えて、複数コマのサムネイル画像を表示するサムネイル表示に切り替える。
【００３１】
タッチ操作部材１７ａからの操作信号が「ホーム」アイコン１７７に対応するタッチ位置を示す場合、ＣＰＵ２０は、ＬＣＤモニタ１７に上述したホーム画面を表示させる。
【００３２】
図５は、縦位置撮影された画像を再生表示する場合の背面図である。本実施形態では、撮影時の電子カメラ１の天地情報（電子カメラ１が縦（ＬＣＤモニタ１７の短辺が天側）に構えられていたか、電子カメラ１が横（ＬＣＤモニタ１７の長辺が天側）に構えられていたかを示す情報）を付加情報として画像ファイル内に記録するように構成されている。ＣＰＵ２０は、撮影時に電子カメラ１が縦に構えられていたことを再生表示の際に読み出した付加情報に基づいて認識した場合は、アイコン１７１、１７２、１８１〜１８７、および１７７のそれぞれの表示の向きが各アイコンの表示位置において回転するように、各アイコン１７１、１７２、１８１〜１８７、および１７７の表示の向きを制御する。
【００３３】
アイコン表示の向きは、回転後のアイコン１７１Ｂ、１７２Ｂ、１８１Ｂ〜１８７Ｂ、および１７７Ｂのそれぞれの天側が、ＬＣＤモニタ１７の表示領域の短辺であって、撮影補助光源(フラッシュ光源)に近い方（図５において右）となるように、アイコン表示方向を制御する。なお、再生画像は、記憶媒体５１に記録されているデータに基づいて再生表示するので、回転後のアイコン１７１Ｂ、１７２Ｂ、１８１Ｂ〜１８７Ｂ、および１７７Ｂと再生画像は天地の向きが揃う。ユーザーは、図５に例示した電子カメラ１を図６に例示するように回転させることにより、再生画像および各アイコンを正しい向きで観察する。
【００３４】
上述したようにアイコン表示方向を制御する処理の流れについて、図７および図８に例示するフローチャートを参照して説明する。ＣＰＵ２０は、撮影モードの場合に図７による処理を実行し、再生モードの場合に図８による処理を実行する。
【００３５】
図７のステップＳ１において、ＣＰＵ２０は、ＬＣＤモニタ１７にライブビュー画像の表示（図２）を指示してステップＳ２へ進む。ステップＳ２において、ＣＰＵ２０は、姿勢センサ２３からの検出信号を取得してステップＳ３へ進む。ステップＳ３において、ＣＰＵ２０は、電子カメラ１に働く重力方向を検出することにより電子カメラ１の姿勢を判定する。本実施形態において、ＣＰＵ２０は電子カメラ１の姿勢を垂直平面内において基準姿勢から９０°間隔で判定可能な構成とする。つまり、基準姿勢、基準姿勢から左９０°回転した姿勢、基準姿勢から左１８０°回転した姿勢（すなわち、基準姿勢と天地が逆）、および基準姿勢から左２７０°回転（すなわち、基準姿勢から右９０°回転）した姿勢のうちいずれかが電子カメラ１の姿勢として判定される。
【００３６】
ＣＰＵ２０は、姿勢検出信号に基づく重力方向が上記長辺側方向に該当する場合はステップＳ３を肯定判定してステップＳ４へ進む。ステップＳ４へ進む場合は、電子カメラ１が横（図２に例示する基準姿勢）に構えられている場合に相当する。一方、ＣＰＵ２０は、姿勢検出信号に基づく重力方向が上記短辺側方向に該当する場合はステップＳ３を否定判定してステップＳ３Ａへ進む。ステップＳ３Ａへ進む場合は電子カメラ１が縦に構えられている場合に相当する。ステップＳ４において、ＣＰＵ２０は、図２に例示した横表示（ＬＣＤモニタ１７の長辺であってレリーズボタン２２ａに近い方を天側としてアイコン表示する）を行うように表示制御を行ってステップＳ６へ進む。
【００３７】
ステップＳ３Ａにおいて、ＣＰＵ２０は、電子カメラ１に働く重力方向を検出することにより電子カメラ１の姿勢が左９０°回転した姿勢か否かを判定する。ＣＰＵ２０は、基準姿勢から左９０°回転した姿勢を判定した場合にステップＳ３Ａを肯定判定してステップＳ４Ａへ進む。ＣＰＵ２０は、基準姿勢から左９０°回転した姿勢を判定しない場合にはステップＳ３Ａを否定判定してステップＳ３Ｂへ進む。ステップＳ４Ａへ進む場合は電子カメラ１が縦（図３）に構えられている場合に相当する。ステップＳ４Ａにおいて、ＣＰＵ２０は、図３に例示した縦表示（ＬＣＤモニタ１７の短辺であってレリーズボタン２２ａに近い方を天側としてアイコン表示する）を行うように表示制御を行ってステップＳ６へ進む。
【００３８】
ステップＳ３Ｂにおいて、ＣＰＵ２０は、電子カメラ１に働く重力方向を検出することにより電子カメラ１の姿勢が左１８０°回転した姿勢（すなわち、天地が逆）か否かを判定する。ＣＰＵ２０は、基準姿勢から左１８０°回転した姿勢を判定した場合にステップＳ３Ｂを肯定判定してステップＳ４Ｂへ進む。ＣＰＵ２０は、基準姿勢から左１８０°回転した姿勢を判定しない場合にはステップＳ３Ｂを否定判定してステップＳ５へ進む。ステップＳ４Ｂへ進む場合は電子カメラ１の天地が逆に構えられている場合に相当する。ステップＳ４Ｂにおいて、ＣＰＵ２０は、ＬＣＤモニタ１７の長辺であってレリーズボタン２２ａに遠い方を天側としてアイコン表示を行うように表示制御を行ってステップＳ６へ進む。
【００３９】
ステップＳ５へ進む場合は電子カメラ１が左に２７０°（または基準姿勢から右に９０°）回転されて構えられている場合に相当する。ステップＳ５において、ＣＰＵ２０は、ＬＣＤモニタ１７の短辺であってレリーズボタン２２ａに遠い方を天側としてアイコン表示を行うように表示制御を行ってステップＳ６へ進む。
【００４０】
撮影モードにおけるアイコンの表示方向制御は、以下のように行う。ＣＰＵ２０は、たとえば、ＬＣＤモニタ１７の表示領域の４辺のうち、重力と反対方向に位置する辺を天側として表示制御する。このため、アイコン１７１〜１７７のそれぞれについて、９０度ずつ向きを回転させた４組（０度、９０度、１８０度、２７０度）のアイコン表示データをフラッシュメモリ１９の中に格納している。すなわち、４組×７種（１７１〜１７７）＝２８個のアイコン表示データを格納しておき、重力方向に応じて１組（７種）を読み出し、ライブビュー画像とともに表示する（図２、図３）。
【００４１】
図７のステップＳ６において、ＣＰＵ２０は設定操作が行われたか否かを判定する。ＣＰＵ２０は、操作部材２２を構成する他のスイッチ等から操作信号が入力された場合にステップＳ６を肯定判定してステップＳ７へ進み、他のスイッチ等から操作信号が入力されない場合にはステップＳ６を否定判定してステップＳ８へ進む。
【００４２】
ステップＳ７において、ＣＰＵ２０は、操作信号が示す指示に応じた設定を行ってステップＳ８へ進む。ステップＳ８において、ＣＰＵ２０は、レリーズ操作が行われたか否かを判定する。ＣＰＵ２０は、レリーズボタン２２ａの押下を示す操作信号が操作部材２２から入力された場合にステップＳ８を肯定判定してステップＳ９へ進む。一方、ＣＰＵ２０は、レリーズボタン２２ａの押下を示す操作信号が操作部材２２から入力されない場合には、ステップＳ８を否定判定してステップＳ１０へ進む。
【００４３】
ステップＳ９において、ＣＰＵ２０は、撮影・記録処理を行ってステップＳ１０へ進む。ステップＳ１０において、ＣＰＵ２０は、終了指示を受けたか否かを判定する。ＣＰＵ２０は、たとえば、「再生」アイコン１７２（１７２Ｂ）に対応するタッチ位置を示す操作信号がタッチ操作部材１７ａから入力された場合に、ステップＳ１０を肯定判定して図７による処理を終了し、図８の処理を起動させる。終了指示を受けない場合のＣＰＵ２０は、ステップＳ１０を否定判定してステップＳ１へ戻り、上述した処理を繰り返す。
【００４４】
図８のステップＳ５１において、ＣＰＵ２０は、記憶媒体５１から所定の画像ファイルを読み出してステップＳ５２へ進む。ステップＳ５２において、ＣＰＵ２０は画像の向きを示す情報の有無を判定する。ＣＰＵ２０は、付加情報に撮影時の天地情報が含まれている場合にステップＳ５２を肯定判定してステップＳ５３へ進む。ＣＰＵ２０は、付加情報に上記天地情報が含まれていない場合にはステップＳ５２を否定判定してステップＳ５４へ進む。
【００４５】
ステップＳ５３において、ＣＰＵ２０は、上記付加情報が示す向きを該画像ファイルに記録されている画像の向きと判定してステップＳ５５へ進む。ステップＳ５４において、ＣＰＵ２０は、該画像ファイルに記録されている画像の向きを横向きとみなしてステップＳ５７へ進む。
【００４６】
ステップＳ５５において、ＣＰＵ２０は判定結果が横向きか否かを判定する。ＣＰＵ２０は、判定結果が横向きの場合にステップＳ５５を肯定判定してステップＳ５７へ進む。ＣＰＵ２０は、判定結果が横向きでない場合にステップＳ５５を否定判定してステップＳ５６へ進む。
【００４７】
ステップＳ５６において、ＣＰＵ２０は、図５および図６に例示した縦表示を行うように表示制御を行ってステップＳ５８へ進む。ステップＳ５７において、ＣＰＵ２０は、図４に例示した横表示を行うように表示制御を行ってステップＳ５８へ進む。
【００４８】
再生モードにおけるアイコンの表示方向制御は、以下のように行う。ＣＰＵ２０は、たとえば、ＬＣＤモニタ１７の表示領域の４辺のうち、図４において上側または右側に位置する辺を天側として表示制御する。このため、アイコン１８１〜１８７、１７１、１７２および１７７と、各アイコンを右に９０度回転させたアイコン１８１Ｂ〜１８７Ｂ、１７１Ｂ、１７２Ｂおよび１７７Ｂとのアイコン表示データをフラッシュメモリ１９の中に格納している。すなわち、２組×１０種＝２０個のアイコン表示データを格納しておき、画像の向きに応じて１組（１０種）を読み出し、読み出した画像ファイル内の画像データに基づく再生画像とともに表示する（図５、図６）。
【００４９】
図８のステップＳ５８において、ＣＰＵ２０は、終了指示を受けたか否かを判定する。ＣＰＵ２０は、たとえば、「撮影」アイコン１７１（１７１Ｂ）に対応するタッチ位置を示す操作信号がタッチ操作部材１７ａから入力された場合に、ステップＳ５８を肯定判定して図８による処理を終了し、図７の処理を起動させる。終了指示を受けない場合のＣＰＵ２０は、ステップＳ５８を否定判定してステップＳ５１へ戻り、上述した処理を繰り返す。
【００５０】
以上説明した実施形態によれば、次の作用効果が得られる。
（１）電子カメラ１は、情報を表示するＬＣＤモニタ１７と、操作アイコン、所定マークおよび所定文字の少なくとも１つを表示するようにＬＣＤモニタ１７を制御し、上記表示の向きを制御するとともに、撮影モードと再生モードとで上記表示の向きの制御を異ならせるＣＰＵ２０と、を備えるようにしたから、操作アイコン等の表示方向を撮影モードおよび再生モードの各々に適した向きに制御できる。
【００５１】
（２）上記（１）のＣＰＵ２０は、再生モード時にＬＣＤモニタ１７に撮影済み画像をさらに表示させ、表示中の撮影済み画像の天地情報に基づいて表示の向きを制御するようにしたので、撮影済み画像の向きと操作アイコン等の表示方向とを揃えることができる。
【００５２】
（３）上記（２）のＣＰＵ２０は、ＬＣＤモニタ１７の表示領域の長手方向と撮影済み画像の長手方向とを一致させるので、一致させない場合に比べて撮影済み画像を大きく表示できる。加えて、該撮影済み画像の表示の向きと操作アイコン、所定マークおよび所定文字の表示の向きとを揃えるようにしたので、撮影済み画像の向きと操作アイコン等の表示方向とを揃えることができる。
【００５３】
（４）上記（３）のＣＰＵ２０は、撮影済み画像の天地情報に基づく撮影済み画像の天側が、表示領域のフラッシュ光源に近い方の短辺側となるように決定した。たとえば、 電子カメラ１の正面パネルのレリーズボタン２２ａに近い領域にフラッシュ光源を配設する場合は、表示領域の右側の短辺が天側に相当する。これにより、再生モード時は操作アイコン等の表示方向を２通り（図４と図５）に制御するだけでよいから、制御を簡単にすることができる。
【００５４】
（５）上記（１）の電子カメラは、姿勢を検出する姿勢センサ２３をさらに備え、ＣＰＵ２０は、撮影モード時に姿勢センサ２３によって検出された検出信号に基づいて上記表示の向きを制御するようにしたので、たとえば、上記検出信号に基づく天地方向と操作アイコン等の表示方向とを揃えることができる。
【００５５】
（６）上述した説明では、向きが異なる複数組のアイコン表示データをあらかじめフラッシュメモリ１９に格納しておき、表示に用いる１組のデータを読み出してＬＣＤモニタ１７の表示領域に画像とともに表示するようにした。アイコン表示データを１組分だけ用意してフラッシュメモリ１９に格納しておき、アイコンおよびマーク表示の向きを変えたい場合に、それらの表示データをメモリ上で回転処理させた上で表示させるグラフィック演算する場合に比べて、ＣＰＵ２０の処理負担を軽減させることができる。
【００５６】
（変形例１）
操作アイコンに対する表示方向制御の他に、画像にスタンプを押すスタンプ機能を使用する場合にも、上述した表示方向制御を行うように構成してよい。ここで、「スタンプ機能」とは、画像に所定のマークを付加し、マーク付加後の画像を元の画像と別に保存（記憶媒体５１に記録）する機能をいう。
【００５７】
ＣＰＵ２０は、図４に例示した再生画像を表示中に、「編集」アイコン１８１に対応するタッチ位置を示す操作信号がタッチ操作部材１７ａから入力された場合、図９に例示した編集操作用のアイコン表示に切り替える。図９に例示するアイコン１９１〜１９８は、表示中の再生画像に対する編集操作を受け付けるための操作アイコンである。
【００５８】
ＣＰＵ２０はさらに、「スタンプ」アイコン１９３に対応するタッチ位置を示す操作信号がタッチ操作部材１７ａから入力された場合、所定マーク９３（図９の例ではハート）を再生画像に付加する操作を受け付ける。たとえば、ＬＣＤモニタ１７に表示中の再生画像上でマークを付加したい位置をユーザーがタッチ操作すると、その位置にマーク９３を重ねて表示させる。
【００５９】
ＣＰＵ２０は、マーク９３の表示の向きを操作アイコン１９１〜１９８の表示の向きと同様に制御する。図１０は、縦位置撮影された画像を再生表示する場合を説明する図である。アイコン表示およびマーク表示の向きは、回転後のアイコン１９１Ｂ〜１９８Ｂ、および回転後のマーク９３Ｂのそれぞれの天側が、ＬＣＤモニタ１７の表示領域の短辺であって、撮影補助光源(フラッシュ光源)に近い方（図１０において右）となるように、その表示方向を制御する。ユーザーは、図１０に例示した電子カメラ１を図１１に例示するように回転させることにより、再生画像、アイコン１９１Ｂ〜１９８Ｂおよびマーク９３Ｂを正しい向きで観察する。このように、スタンプ機能を使用する場合において、表示中の撮影済み画像に表示中の所定マーク９３を付加する場合、付加するマーク９３の向きと撮影済み画像の向きとを揃えることができる。  なお、上述の変形例では、スタンプ機能を使用して所定のマークを付加する例を示したが、さらにスタンプ機能として、所定の文字を付加する機能を持たせてもよい。この場合も、文字の向きと撮影済み画像の向きとを揃えるために、上述の表示方向制御を適用することが好ましい。
【００６０】
（変形例２）
上述した説明では、向きが異なる複数組のアイコン表示データおよびマーク表示データをあらかじめフラッシュメモリ１９に格納しておき、表示に用いる１組のデータを読み出してＬＣＤモニタ１７の表示領域に画像とともに表示するようにした。この代わりに、アイコン表示データおよびマーク表示データを１組分だけ用意してフラッシュメモリ１９に格納しておき、アイコンおよびマーク表示の向きを変えたい場合には、それらの表示データをメモリ上で回転処理させた上で、ＬＣＤモニタ１７の表示領域に画像とともに表示するようにしてもよい。
【００６１】
（変形例３）
ＬＣＤモニタ１７の表示領域を囲む四辺のうち短辺のみに沿って操作アイコンを表示させる例を説明したが、操作アイコンを上記四辺の長辺に沿って表示させたり、短辺および長辺の双方に沿って表示させるように構成してもよい。
【００６２】
以上の説明はあくまで一例であり、上記の実施形態の構成に何ら限定されるものではない。
【符号の説明】
【００６３】
１…電子カメラ
１７…ＬＣＤモニタ
１７ａ…タッチ操作部材
１８…バッファメモリ
１９…フラッシュメモリ
２０…ＣＰＵ
２２…操作部材
２３…姿勢センサ
【図１】
2011010181.tif 000003
【図２】
2011010181.tif 000004
【図３】
2011010181.tif 000005
【図４】
2011010181.tif 000006
【図５】
2011010181.tif 000007
【図６】
2011010181.tif 000008
【図７】
2011010181.tif 000009
【図８】
2011010181.tif 000010
【図９】
2011010181.tif 000011
【図１０】
2011010181.tif 000012
【図１１】
2011010181.tif 000013